(57)【要約】      （修正有）【課題】ベルトコンベヤに取付けることなく、コンベヤベルトを洗浄槽内に配置すると共に、コンベヤベルトの搬送面を洗浄体に接触させる洗浄装置を提供する。【解決手段】洗浄槽１に挿入されるコンベヤベルトＣの外周面Ｃ１を、洗浄体２に対して、コンベヤベルトＣの幅方向が洗浄体２の軸と平行となるように接触させ、保持ローラ５、６を、コンベヤベルトＣの内周側からコンベヤベルトの内周面Ｃ２に接触させると共に、洗浄水の水面よりも下方に保持して、洗浄体２に対するコンベヤベルトＣの外周面Ｃ１の接触状態を保持する。【選択図】図４
2016013919.tif 000002
【特許請求の範囲】
【請求項１】
無端のコンベヤベルトを洗浄する洗浄装置であって、
前記洗浄装置は、
上方に前記コンベヤベルトが出し入れされる開口部を有し、洗浄水を貯留する容体として形成された洗浄槽と、
前記洗浄槽内に、前記開口部の開口方向と直交する軸を有し、前記洗浄水の水面よりも下方に軸支された洗浄体と、
前記洗浄体の軸と平行な軸を有し、前記洗浄槽に対して前記開口部から出し入れ自在に軸支されると共に、前記洗浄槽への挿入時に、前記洗浄体を間にして、前記開口部の開口方向と直交する方向に配置される複数の保持ローラと、
前記洗浄体の軸と平行な軸を有し、洗浄槽に挿入される前記コンベヤベルトを、周方向に沿って回転するように、前記コンベヤベルトに駆動力を与える駆動部と、
を具備し、
前記洗浄槽に挿入される前記コンベヤベルトの外周面を、前記洗浄体に対して、前記コンベヤベルトの幅方向が前記洗浄体の軸と平行となるように接触させ、前記保持ローラを、前記コンベヤベルトの内周側から該コンベヤベルトの内周面に接触させると共に、前記洗浄水の水面よりも下方に保持して、前記洗浄体に対する前記コンベヤベルトの前記外周面の接触状態を保持するようにされていることを特徴とするコンベヤベルトの洗浄装置。
【請求項２】
前記駆動部が、前記コンベヤベルトの外周面、又は内周面の一方に接触する駆動回転部、及び他方に接触する支持回転部とを備え、前記駆動回転部と前記支持回転部とで、前記コンベヤベルトを挟持して駆動回転部の駆動回転を、前記コンベヤベルトに対して周方向への回転駆動力として伝達すると共に、前記駆動回転部と前記支持回転部の一方が、前記コンベヤベルトから離間するように支持されていることを特徴とする請求項１記載のコンベヤベルトの洗浄装置。
【請求項３】
前記駆動部は、前記支持回転部と前記駆動回転部とを対面する方向に付勢する付勢部を備えていることを特徴とする請求項１又は２記載のコンベヤベルトの洗浄装置。
【請求項４】
前記駆動部の全部、又は１部が洗浄水に浸かっていることを特徴とする請求項１乃至３いずれか１項記載のコンベヤベルトの洗浄装置。
【請求項５】
前記駆動部が、前記コンベヤベルトの回転方向に沿う前記洗浄槽の下流側に配置されていることを特徴とする請求項１乃至４いずれか１項記載のコンベヤベルトの洗浄装置。
【請求項６】
前記コンベヤベルトの回転途中に、前記コンベヤベルトの前記外周面、及び前記内周面に対してエアを噴射する噴射ノズルを備えたことを特徴とする請求項１乃至３いずれか１項記載のコンベヤベルトの洗浄装置。
【請求項７】
前記洗浄体の軸と平行な軸を有し、前記コンベヤベルトを周方向に回転自在に巻回すると共に、前記コンベヤベルトの回転方向を一方向から他方向に切り替える切替え端部を構成する２つの回転体を少なくとも有し、前記回転体は、該回転体の一方端側から前記コンベヤベルトを巻回・取り外し自在に支持されていることを特徴とする請求項１乃至６いずれか１項記載のコンベヤベルトの洗浄装置。
【請求項８】
前記２つの回転体の間に前記保持ローラが配置されていることを特徴とする請求項７記載のコンベヤベルトの洗浄装置。
【請求項９】
前記回転体の少なくとも一方が、他方の前記回転体に対して接近・離間自在に支持されていることを特徴とする請求項７又は８記載のコンベヤベルトの洗浄装置。
【請求項１０】
前記保持ローラを軸支した支持枠と、前記支持枠を前記開口部の開口方向に沿って昇降させる昇降装置とを備え、前記昇降部は、前記支持枠を最上昇位置に上昇させたときに、前記保持ローラが前記開口部よりも上方に位置するようにされていることを特徴とする請求項１乃至９いずれか１項記載のコンベヤベルトの洗浄装置。
【請求項１１】
前記洗浄槽内に着脱自在に挿入される支持枠を備え、前記支持枠に前記保持ローラが軸支されていることを特徴とする請求項１乃至９いずれか１項記載のコンベヤベルトの洗浄装置。
【請求項１２】
前記洗浄槽の下端に車輪が備えられていることを特徴とする請求項１乃至１１いずれか１項記載のコンベヤベルトの洗浄装置。
【請求項１３】
前記洗浄槽が、下端に車輪を備えた支持フレームに支持されていることを特徴とする請求項１乃至１１いずれか１項記載のコンベヤベルトの洗浄装置。
【請求項１４】
前記支持フレームに、該支持フレームを上下動させる昇降部を備えていることを特徴とする請求項１３記載のコンベヤベルトの洗浄装置。
【請求項１５】
請求項１乃至１４いずれか１項記載のコンベヤベルトの洗浄装置と、ベルトコンベヤとを備えたコンベヤシステムであって、
前記ベルトコンベヤは、下流側と上流側とに、夫々回転体が軸支されたコンベヤフレームと、前記回転体にわたって巻回された前記コンベヤベルトと、前記コンベヤフレームに設けられ、前記回転体同士を接近・離間させて前記コンベヤベルトを弛ませる接離動作部とを備え、
前記洗浄槽は、弛ませた前記コンベヤベルトの前記外周面に前記洗浄槽の前記開口部が対面すると共に、前記洗浄体の軸が前記コンベヤベルトの幅方向と平行となる位置に配置され、この洗浄槽が配置された位置を洗浄動作位置として設定されていることを特徴とするコンベヤシステム。
【請求項１６】
前記洗浄動作位置が、下流側の前記回転体側又は上流側の前記回転体側に設定されていることを特徴とする請求項１５記載のコンベヤシステム。
【請求項１７】
前記洗浄動作位置に配置された前記洗浄槽の配置位置を保持する保持部が備えられていることを特徴とする請求項１５又は１６記載のコンベヤシステム。
【請求項１８】
前記洗浄槽を、前記洗浄動作位置に案内する案内部を備えていることを特徴とする請求項１５乃至１７いずれか１項記載のコンベヤシステム。
【発明の詳細な説明】
【技術分野】
【０００１】
本発明は、コンベヤベルトを洗浄する洗浄装置、及びこの洗浄装置を備えたコンベヤシステムに関する。
【背景技術】
【０００２】
コンベヤベルトを洗浄する洗浄装置は、下記、特許文献１に記載されているように、洗浄槽、この洗浄槽内に軸支された２つのガイドロール、及び洗浄槽内のガイドロールの下方に軸支された通水ドラムを備え、洗浄槽をベルトコンベヤに取付けたものが知られている。
【０００３】
前述の洗浄装置は、２つのガイドロールと通水ドラムとに、ベルトコンベヤからコンベヤベルトを無端状に巻回して、ベルトコンベヤの駆動でコンベヤベルトを回転させることによって、コンベヤベルトを洗浄槽内で洗浄することができるようになっている。
【先行技術文献】
【特許文献】
【０００４】
【特許文献１】特許５４４３５２９号公報
【発明の概要】
【発明が解決しようとする課題】
【０００５】
特許文献１の従来技術による洗浄装置は、無端状のコンベヤベルトの内周側を通水ドラムに巻回する構造であるため、コンベヤベルトを通水ドラムに巻回する場合、帯状のベルトを呈し、このベルトの両端部を連結することで無端のコンベヤベルトが形成でき、両端部の連結を解除することで帯状のベルトに復帰できるシート体が用いられ、このシート体をベルトコンベヤ、２つのガイドロール、通水ドラムに巻回して、シート状の両端部を連結することで行われる。
【０００６】
しかしながら、前述の洗浄装置は、シート体の両端部を連結してなる無端のコンベヤベルトの駆動回転時に、連結が解除されるおそれがある。
【０００７】
すなわち、コンベヤベルトは、搬送回転中に巻回ローラやフレーム等に対する巻き込みを防止することから、搬送中に緩まないように常に張った状態にされているため、この張りと駆動回転によってコンベヤベルトに引っ張り力が作用する。
【０００８】
そして、この引っ張り力によって連結が解除され、この連結の解除によって、無端のコンベヤベルトがシート体となって、ベルトコンベヤから外れてしまい、ベルトコンベヤとしての搬送機能が失われてしまうという問題がある。
【０００９】
また、前述の洗浄装置は、ベルトコンベヤに２つのガイドロール、通水ドラム、更には、通水ドラム内に設けられた凹凸ドラムを回転させる駆動部等の各種構成部材が、ベルトコンベヤに取付けられた洗浄槽に備えられているため、各種構成部材のメンテナンスが行い難く、また、メンテナンスを行うために、ベルトコンベヤから洗浄槽を取り外すのも容易ではない。
【００１０】
特に、搬送経路において複数のベルトコンベヤを使用している場合の洗浄装置のメンテナンスは、夫々のベルトコンベヤから洗浄装置を取り外して行い、メンテナンス後に再度取付けるため、その着脱作業によってメンテナンス作業が非効率なものとなってしまう。
【００１１】
また、コンベヤベルトを洗浄装置にセットした状態では、コンベヤベルトの内周面が、コンベヤベルトを実質的に洗浄する通水ドラムの表面に接触するように巻回されるため、最も汚れる搬送面(外周面)  に通水ドラムからの洗浄液を噴射できず、搬送面の洗浄が不完全となるおそれがある。
【００１２】
本発明は、このような問題に対処することを課題の一例とするものである。すなわち、連結部がない無端のコンベヤベルトを容易に巻回することができると共に、取り外すことができること、ベルトコンベヤに取付けることなく、コンベヤベルトを洗浄位置に配置できること、これにより、洗浄装置のメンテナンスを効率よくできること、コンベヤベルトの最も汚れる搬送面の洗浄が確実にできること、等が本発明の目的である。
【課題を解決するための手段】
【００１３】
このような目的を達成するために、本発明は、以下の構成を少なくとも具備するものである。
【００１４】
無端のコンベヤベルトを洗浄する洗浄装置であって、前記洗浄装置は、上方に前記コンベヤベルトが出し入れされる開口部を有し、洗浄水を貯留する容体として形成された洗浄槽と、前記洗浄槽内に、前記開口部の開口方向と直交する軸を有し、前記洗浄水の水面よりも下方に軸支された洗浄体と、前記洗浄体の軸と平行な軸を有し、前記洗浄槽に対して前記開口部から出し入れ自在に軸支されると共に、前記洗浄槽への挿入時に、前記洗浄体を間にして、前記開口部の開口方向と直交する方向に配置される複数の保持ローラと、前記洗浄体の軸と平行な軸を有し、洗浄槽に挿入される前記コンベヤベルトを、周方向に沿って回転するように、前記コンベヤベルトに駆動力を与える駆動部とを具備し、前記洗浄槽に挿入される前記コンベヤベルトの外周面を、前記洗浄体に対して、前記コンベヤベルトの幅方向が前記洗浄体の軸と平行となるように接触させ、前記保持ローラを、前記コンベヤベルトの内周側から該コンベヤベルトの内周面に接触させると共に、前記洗浄水の水面よりも下方に保持して、前記洗浄体に対する前記コンベヤベルトの前記外周面の接触状態を保持するようにされていることを特徴とするコンベヤベルトの洗浄装置である。
【００１５】
前記駆動部が、前記コンベヤベルトの外周面、又は内周面の一方に接触する駆動回転部及び他方に接触する支持回転部とを備え、前記駆動回転部と前記支持回転部とで、前記コンベヤベルトを挟持して駆動回転部の駆動回転を、前記コンベヤベルトに対して周方向への回転駆動力として伝達すると共に、前記駆動回転部と前記支持回転部の一方が、前記コンベヤベルトから離間するように支持されていることが好ましい。
【００１６】
前記駆動部は、前記支持回転部と前記駆動回転部とを対面する方向に付勢する付勢部を備えていることが好ましい。
【００１７】
前記駆動部の全部、又は１部が洗浄水に浸かっていることが好ましい。
【００１８】
前記駆動部が、前記コンベヤベルトの回転方向に沿う前記洗浄槽の下流側に配置されていることが好ましい。
【００１９】
前記コンベヤベルトの回転途中に、前記コンベヤベルトの前記外周面、及び前記内周面に対してエアを噴射する噴射ノズルを備えることが好ましい。
【００２０】
前記洗浄体の軸と平行な軸を有し、前記コンベヤベルトを周方向に回転自在に巻回すると共に、前記コンベヤベルトの回転方向を一方向から他方向に切り替える切替え端部を構成する２つの回転体を少なくとも有し、前記２つの回転体の間に前記保持ローラが配置されていることが好ましい。
【００２１】
前記回転体の両端面に、前記回転体の径方向に沿って該回転体の外周から突出し、前記回転体に巻回された前記コンベヤベルトの幅方向の両縁部を保持するように設けられた保持体を備え、前記保持体は、該保持体の少なくとも一方が、前記回転体の端面に対して着脱自在であることが好ましい。
【００２２】
前記回転体の少なくとも一方が、他方の前記回転体に対して接近・離間自在に支持されていることを特徴とする請求項７又は８記載のコンベヤベルトの洗浄装置。
【００２３】
前記保持ローラを軸支した支持枠と、前記支持枠を前記開口部の開口方向に沿って昇降させる昇降装置とを備え、前記昇降部は、前記支持枠を最上昇位置に上昇させたときに、前記保持ローラが前記開口部よりも上方に位置するようにされていることが好ましい。
【００２４】
前記洗浄槽内に着脱自在に挿入される支持枠を備え、前記支持枠に前記保持ローラが軸支されていることが好ましい。
【００２５】
前記洗浄槽の下端に車輪が備えられていることが好ましい。
【００２６】
前記洗浄槽が、下端に車輪を備えた支持フレームに支持されていることが好ましい。
【００２７】
前記支持フレームに、該支持フレームを上下動させる昇降部を備えることが好ましい。
【００２８】
前述のコンベヤベルトの洗浄装置と、ベルトコンベヤとを備えたコンベヤシステムであって、前記ベルトコンベヤは、下流側と上流側とに、夫々回転体が軸支されたコンベヤフレームと、前記回転体にわたって巻回された前記コンベヤベルトと、前記コンベヤフレームに設けられ、前記回転体同士を接近・離間させて前記コンベヤベルトを弛ませる接離動作部とを備え、前記洗浄槽は、弛ませた前記コンベヤベルトの前記外周面に前記洗浄槽の前記開口部が対面すると共に、前記洗浄体の軸が前記コンベヤベルトの幅方向と平行となる位置に配置され、この洗浄槽が配置された位置を洗浄動作位置として設定されていることを特徴とするコンベヤシステムである。
【００２９】
前記洗浄動作位置は、下流側の前記回転体側又は上流側の前記回転体側のどちらでもよい。
【００３０】
前記洗浄動作位置に配置された前記洗浄槽の配置位置を保持する保持部を備えることが好ましい。
【００３１】
前記洗浄槽を、前記洗浄動作位置に案内する案内部を備えることが好ましい。
【発明の効果】
【００３２】
このような特徴を有することで本発明は、連結部がない無端のコンベヤベルトを容易に巻回することができると共に、取り外すことができ、しかも、ベルトコンベヤに取付けることなく、コンベヤベルトを洗浄位置に配置できる。これにより、洗浄装置のメンテナンスを効率よくできると共に、コンベヤベルトの最も汚れる搬送面の洗浄が確実にできる。
【図面の簡単な説明】
【００３３】
【図１】本発明に係る第１実施形態の洗浄装置を備えたコンベヤシステムの正面図である。
【図２】図１の平面図、
【図３】図１の側面図である。
【図４】図２の(４)-(４)線断面図である
【図５】図２の(５)-(５)線断面図であり、駆動回転部の支持回転部に対する非対面状態から対面状態への動作を示す。
【図６】ベルトコンベヤの正面図である。
【図７】接離動作部によりコンベヤベルトを弛ませる動作を示す第１動作図である。
【図８】接離動作部によりコンベヤベルトを弛ませる動作を示す第２動作図である。
【図９】ベルトコンベヤを洗浄動作状態に移行させた動作図である。
【図１０】洗浄装置をコンベヤにセットする動作を示す側面動作図である。
【図１１】洗浄装置をコンベヤにセットする動作を示す平面動作図である。
【図１２】コンベヤベルトを洗浄装置に巻回する工程を示す第１工程図である。
【図１３】コンベヤベルトを洗浄装置に巻回する工程を示す第２工程図である。
【図１４】支持枠を取り外す動作を示す状態を示す動作図である。
【図１５】本発明に係る第２実施形態の洗浄装置の正面図である。
【図１６】図１５の(１６)−(１６)線断面図である。
【図１７】図１５の(１７)−(１７)線断面図である。
【図１８】駆動部の拡大図である。
【図１９】コンベヤベルトを洗浄装置に巻回する工程を示す第１工程図である。
【図２０】コンベヤベルトを洗浄装置に巻回する工程を示す第２工程図である。
【図２１】コンベヤベルトを洗浄装置に巻回する工程を示す第３工程図である。
【発明を実施するための形態】
【００３４】
以下、本発明に係る第１実施形態の洗浄装置Ａ、及びコンベヤシステムＳを図１〜図１４に基づいて説明する。
【００３５】
コンベヤシステムＳは、洗浄装置Ａと、ベルトコンベヤＢとを備えたものであり、ベルトコンベヤＢに巻回された無端のコンベヤベルトＣを、ベルトコンベヤＢから取り外さずに、しかも、無端状態のまま洗浄装置Ａに巻回した状態で洗浄できるようにされたものである。
【００３６】
洗浄装置Ａは、洗浄液を貯水する洗浄槽１と、コンベヤベルトＣの幅方向と平行な軸を有して、洗浄槽１内に軸支され、洗浄槽１に挿入されるコンベヤベルトＣの外周面Ｃ１が接触する洗浄体２と、洗浄体２の軸と平行な軸を有して、洗浄槽１内に軸支され、洗浄槽１に挿入されるコンベヤベルトＣの外周面Ｃ１が接触する支持ローラ(支持回転部)３と、支持ローラ３の軸と平行な軸を有して、洗浄槽１の外側から支持ローラ３の軸に沿って、洗浄槽１に挿入されるコンベヤベルトＣの内周に抜き挿しされるようにスライド自在に支持されると共に、コンベヤベルトＣの内周への挿入時に、支持ローラ３と径方向で対面すると共に、コンベヤベルトＣの内周面Ｃ２に接触するように支持された駆動ローラ(駆動回転部)４と、洗浄体２の軸と平行な軸を有し、洗浄槽１に挿入されるコンベヤベルトＣの内周から内周面Ｃ２に接触させた状態で洗浄槽１内に挿入され、コンベヤベルトＣの外周面Ｃ１の洗浄体２に対する接触状態を保持する保持ローラ５、６と、洗浄槽１内に配置され、保持ローラ５、６を着脱自在に支持する支持部７、８とを備えている。
【００３７】
洗浄槽１は、上部が開口された容器状のものであり、底部１０にドレンバルブ１００が接続されており、下端に車輪１０Ａを備えて移動自在とする支持フレーム１Ａに支持されている。
【００３８】
洗浄槽１内には、支持ローラ３を軸支すると共に、支持部７、８が備えられた支持枠１Ｂが着脱自在に挿入されており、支持枠１Ｂを抜き取ることによって、支持ローラ３の取り外しを行うことができるようにされている(図１４参照)。
【００３９】
支持枠１Ｂは、洗浄槽１の開口縁に引掛ける引掛け面１０Ｂが設けられており、この引掛け面１０Ｂを洗浄槽１の開口縁に引掛けることで、洗浄槽１に着脱自在に挿入することができる。
【００４０】
支持枠１Ｂは、支持ローラ３の両軸を対面して支持するようにされており、対面する支持枠１Ｂの夫々に引掛け面１０Ｂが設けられている。
【００４１】
引掛け面１０Ｂは、表面側に取手１１Ｂを有して、支持枠１Ｂの上端に設けられており、取手１１Ｂを持って支持枠１Ｂを持ち上げることで、この支持枠１Ｂを洗浄槽１から取り出すことができるようにされている。
【００４２】
洗浄槽１に対して着脱自在な支持枠１Ｂによって、洗浄槽１、洗浄体２、支持ローラ３、支持部７、８の清掃、メンテナンスを容易に行うことができる。
【００４３】
支持フレーム１Ａは、洗浄槽１の高さを調節する昇降部１１Ａが設けられており、この昇降部１１Ａで支持フレーム１Ａを上下動させることによって、洗浄槽１の高さを、各種ベルトコンベヤの高さに合わせて調節することができる。
【００４４】
図示では、昇降部１１Ａは、アジャストボルトを利用するものであるが、本発明では、支持フレーム１Ａを上下動させることができる構成であれば他の構成としてもよい。
【００４５】
支持フレーム１Ａには、洗浄体２を駆動させる駆動部１２Ａ、駆動ローラ４を駆動させる駆動部１３Ａを支持するスライダー４０、駆動部１２Ａ、１３Ａの駆動動作、ドレンバルブ１００の開閉動作等の各種洗浄動作を制御する制御回路や操作部等(図示せず)が組み込まれた制御部１４Ａが設けられている。
【００４６】
また、支持フレーム１Ａは、洗浄槽１に洗浄水を入れるバルブ付きホース(図示せず)や洗浄水を貯留するタンク(図示せず)、このタンクから洗浄槽１に給水するためのポンプ(図示せず)等からなる給水装置(図示せず)を設置してもよい。
【００４７】
前述の洗浄水は、コンベヤベルトＣの汚れ具合に応じて、真水、湯、薬品(洗剤等)を夫々単独で洗浄水として用いるか、或いはこれらを混合・希釈したものを洗浄水として用いるとよい。
【００４８】
洗浄体２は、洗浄槽１に貯水された洗浄水の水面よりも下側になるように支持されている。洗浄体２は、例えば、駆動部１２Ａの駆動力によって回転することで、コンベヤベルトＣの外周面Ｃ１の汚れをこすり取るようなブラシやスポンジ等を用いることができ、また、特許５４４３５２９号公報に記載されているような、駆動回転する凹凸ドラムによる振動流が通水ドラムから出し入れされて生じる洗浄液の振動によって、コンベヤベルトＣの外周面Ｃ１の汚れを洗浄する構成を用いることができる。
【００４９】
支持ローラ３、及び保持ローラ５、６は、軸方向に複数分割されたローラ３０の集合体であり、夫々独立して回転するように軸支されている。このような複数分割されたローラ３０の集合体からなる支持ローラ３、及び保持ローラ５、６は、コンベヤベルトＣの幅に対応して、コンベヤベルトＣ接触しているローラ３０のみが回転するようにされている。
【００５０】
また、支持ローラ３は、上部の１部を除いて、洗浄槽１に貯水された洗浄水に浸かっており、回転中に洗浄水によって、コンベヤベルトＣとの接触で支持ローラ３に付着した汚れ等を洗浄することができる。
【００５１】
また、支持ローラ３は、洗浄槽１とにわたって設けられたトーションばね(付勢部)３１(図４参照)によって、上方(駆動ローラ４と対面する方向)に回転するように軸支された支持板３２に軸支されており、このトーションばね３１の付勢力によって、支持ローラ３と駆動ローラ４とでコンベヤベルトＣを挟むようにされている。
【００５２】
駆動ローラ４は、支持フレーム１Ａに支持ローラ３と径方向で対面する位置(図５において仮想線で示す方向)と、支持ローラ３と径方向で非対面となる位置(図５において実線で示す位置)とにわたってスライド自在に支持されたスライダー４０に支持されており、このスライダー４０に設けられた駆動部１３Ａによって駆動回転するようにされている。
【００５３】
駆動ローラ４は、前述したように支持ローラ３とでコンベヤベルトＣを挟み、駆動回転することでコンベヤベルトＣを回転させるようになっている。
【００５４】
すなわち、支持ローラ３と駆動ローラ４とで、コンベヤベルトＣを駆動回転させる駆動部３４が構成されている。
【００５５】
コンベヤベルトＣを洗浄するための駆動ローラ４の駆動方向は、図１、及び図２の白抜き矢印方向であり、ベルトコンベヤＢの搬送方向とは逆方向である。
【００５６】
洗浄時におけるコンベヤベルトＣの回転方向を、ベルトコンベヤの搬送方向とは逆方向としたことによって、図示するベルトコンベヤＢの搬送方向下流側に連設された他のベルトコンベヤ（図示せず）のコンベヤベルト（図示せず）に対して、コンベヤベルトＣに付着した汚れが付着しないようにすることができる。
【００５７】
保持ローラ５、６は、ローラ体５０、６０と、ローラ体５０、６０を軸支した挿入板５１、６１とから構成されており、挿入板５１、６１の側面にガイドピン５２Ａ、５２Ｂが突設され、このガイドピン５２Ａが、支持部７、８の案内溝７０、８０に嵌合し、ガイドピン５２Ｂが、支持部７、８の保持溝７１、８１に嵌合することで、洗浄槽１内に支持されている。
【００５８】
保持ローラ５、６は、支持部７、８に支持された状態で、ローラ体５０、６０がコンベヤベルトＣの内周面Ｃ２に接触すると共に、コンベヤベルトＣの外周面Ｃ１を洗浄体２に押し付けるようにされ、これによって、コンベヤベルトＣの外周面Ｃ１の洗浄体２への接触状態を維持するようにされている。
【００５９】
支持部７、８は、支持枠１Ｂに、保持ローラ５、６の両軸を支持するように洗浄槽１内で対面するように形成され、上下鉛直方向に形成された案内溝７０、８０と、案内溝７０、８０の下端にガイドピン５２Ａが位置したときに、このガイドピン５２Ａの軸を中心とする同心円の円弧となるように、案内溝７０、８０の縁を始端として連続するように形成された保持溝７１、８１とで構成されている。
【００６０】
保持溝７１、８１の始端の高さ位置は、案内溝７０、８０の下端にガイドピン５２Ａが位置したときに、ガイドピン５２Ｂが保持溝７１、８１の始端に位置する高さである(図１３参照)。
【００６１】
ベルトコンベヤＢは、駆動回転体(回転体)Ｂ１と、従動回転体(回転体)Ｂ２と、駆動回転体Ｂ１と従動回転体Ｂ２とにわたって巻回されたコンベヤベルトＣと、搬送方向下流側に駆動回転体Ｂ１を支持すると共に、搬送方向上流側に従動回転体Ｂ２を支持するコンベヤフレームＢ３と、コンベヤフレームＢ３に設けられ、駆動回転体Ｂ１と従動回転体Ｂ２とを接近・離間させる接離動作部Ｄとを備えている。
【００６２】
駆動回転体Ｂ１は、駆動部Ｂ１０によって駆動回転し、従動回転体Ｂ２は、駆動回転体Ｂ１の駆動回転がコンベヤベルトＣを介して従動回転するものであり、駆動回転体Ｂ１側を搬送方向下流側となるように、駆動回転体Ｂ１の駆動回転方向が設定されている。
【００６３】
コンベヤフレームＢ３は、駆動回転体Ｂ１を軸支した駆動回転体側フレームＢ３０と、従動回転体Ｂ２を軸支した従動回転体側フレームＢ３１と、駆動回転体側フレームＢ３０、及び従動回転体側フレームＢ３１の夫々に、下端に車輪Ｂ３２０、Ｂ３３０が軸支された脚部Ｂ３２、Ｂ３３とを備えている。
【００６４】
駆動回転体側フレームＢ３０と従動回転体側フレームＢ３１とは、搬送方向に沿って、駆動回転体Ｂ１と従動回転体Ｂ２とが互いに接近・離間する方向にスライドするように嵌合されており、接近した状態(図１参照)において、コンベヤベルトＣが弛み、洗浄装置Ａに巻回可能な状態、或いは洗浄可能な状態(図１参照)となる。
【００６５】
駆動回転体Ｂ１と従動回転体Ｂ２とが離間した状態(図６参照)において、コンベヤベルトＣが張られ、搬送可能な状態となる。
【００６６】
また、従動回転体側フレームＢ３１の端部には、従動回転体Ｂ２を軸支した回転フレームＢ３４が搬送方向下流側と搬送方向上流側とにわたって交互に回転するように軸支されている。
【００６７】
また、駆動回転体Ｂ１と従動回転体Ｂ２とは、駆動回転体側フレームＢ３０と従動回転体側フレームＢ３１に開孔されたボルト孔Ｂ３５に位置決めボルトＢ３６をねじ込むことによって、駆動回転体Ｂ１と従動回転体Ｂ２とが離間した状態と、駆動回転体Ｂ１と従動回転体Ｂ２とが互いに接近した状態とを保持し、ボルト孔Ｂ３５にねじ込まれた位置決めボルトＢ３６を緩めることによって、駆動回転体側フレームＢ３０と従動回転体側フレームＢ３１とのスライドを行うことができる。
【００６８】
本実施形態では、駆動回転体側フレームＢ３０と従動回転体側フレームＢ３１とのスライド操作は、駆動回転体側フレームＢ３０を、脚部Ｂ３２に設けられた支持脚Ｂ３２１によって車輪Ｂ３２０を浮かせることで不動とし、この不動の駆動回転体側フレームＢ３０に対して、従動回転体側フレームＢ３１に設けられた取手Ｂ３１０を持ってスライドさせるようにしている（図７の白抜き矢印方向）。
【００６９】
尚、駆動回転体側フレームＢ３０と従動回転体側フレームＢ３１とのスライドは、駆動回転体側フレームＢ３０をスライドするようにしてもよいし、双方がスライドするようにしてもよい。
【００７０】
また、回転フレームＢ３４は、回転フレームＢ３４と従動回転体側フレームＢ３１とに開孔されたボルト孔Ｂ３７に位置決めボルトＢ３８をねじ込むことによって、従動回転体Ｂ２がベルトコンベヤＢの端部に位置する状態を保持するようにされている。
【００７１】
ここで、図６〜図９に基づいて、ベルトコンベヤＢの駆動回転体Ｂ１と従動回転体Ｂ２とを接近・離間させる工程を説明する。図６〜図９は、ベルトコンベヤＢを搬送可能状態(コンベヤベルトＣを張った状態)から、コンベヤベルトＣを洗浄装置Ａに巻回可能な状態、或いは洗浄可能な状態に移行する工程を示している。
【００７２】
先ず、図６に示すコンベヤベルトＣを張った状態で、図７に示すように、ボルト孔Ｂ３７にねじ込まれた位置決めボルトＢ３８を緩めて、回転フレームＢ３４を搬送方向下流側へ回転させ、張られたコンベヤベルトＣを弛ませる。
【００７３】
次に、図８に示すように、ボルト孔Ｂ３５から位置決めボルトＢ３６を取り外して、従動回転体側フレームＢ３１を搬送方向下流側にスライドさせ、コンベヤベルトＣを更に緩ませる。
【００７４】
最後に、図９に示すように、回転フレームＢ３４を搬送方向上流側に回転させて、図６と同じ位置において位置決めボルトＢ３８をボルト孔Ｂ３７にねじ込んで、回転フレームＢ３４を固定すると共に、位置決めボルトＢ３６をボルト孔Ｂ３５にねじ込んで、駆動回転体側フレームＢ３０と従動回転体側フレームＢ３１とをスライド不能に固定する。
【００７５】
そして、この図９に示す状態のベルトコンベヤＢが、コンベヤベルトＣが弛んで洗浄装置Ａに巻回可能な状態、或いは洗浄可能な状態のベルトコンベヤＢであり、この状態において洗浄装置Ａが配置される。コンベヤベルトＣの洗浄後、ベルトコンベヤＢを図６に示す搬送可能な状態にするには、前述の工程の逆の工程を行えばよい。
【００７６】
すなわち、駆動回転体Ｂ１と従動回転体Ｂ２とが互いに接近・離間する方向にスライドするように嵌合された駆動回転体側フレームＢ３０と従動回転体側フレームＢ３１、及び回転フレームＢ３４、ボルト孔Ｂ３５、Ｂ３７、位置決めボルトＢ３６、Ｂ３８によって、コンベヤベルトＣを張った状態と緩んだ状態とに切り替える接離動作部Ｄが構成されている。
【００７７】
尚、接離動作部ＤによるコンベヤベルトＣを弛めるための構成は、駆動回転体Ｂ１と従動回転体Ｂ２との互いに接近する方向へのスライドのみ、或いは回転フレーム３４の搬送方向下流側への回転のみで行う構成としてもよい。
【００７８】
ここで、図１２、図１３、図４、図５に基づいて、コンベヤベルトＣの洗浄装置Ａに対する巻回工程を説明する。図１２、図１３、図４、図５は、コンベヤベルトＣを洗浄体２、支持ローラ３、駆動ローラ４、保持ローラ５、６に巻回する工程を示している。
【００７９】
先ず、図１２に示すように、ベルトコンベヤＢに巻回された状態で弛んだコンベヤベルトＣを洗浄槽１内に垂らすように挿入し、保持ローラ５、６をコンベヤベルトＣの内周に入れる。
【００８０】
次に、図１３に示すように、ローラ体５０、６０をコンベヤベルトＣの内周面Ｃ２に接触させながら、ガイドピン５２Ａ、５２Ｂを案内溝７０、８０に挿入して、ガイドピン５２Ａが案内溝７０、８０の下端に至るまで下降させ、ガイドピン５２Ａの軸を中心に、挿入板５１、６１をガイドピン５２Ｂが保持溝７１、８１に嵌合する方向に回転させることで、図４に示すように、コンベヤベルトＣの内周面Ｃ２が保持ローラ５、６に巻回される。
【００８１】
最後に、図５に示すように、駆動ローラ４を支持ローラ３に径方向で対面する位置にスライドさせて、コンベヤベルトＣの内周に挿入すると共に、この駆動ローラ４と支持ローラ３とで、コンベヤベルトＣを挟むことによって、コンベヤベルトＣが駆動ローラ４と支持ローラ３に巻回される。
【００８２】
駆動ローラ４の支持ローラ３に径方向で対面する位置へのスライド時には、支持ローラ３を付勢する引っ張りばね３１の付勢力に抗して、支持ローラ３を軸支した支持板３２を下方に回転させて、支持ローラ３の高さ位置を下方に移動させることによって、駆動ローラ４のスライドが支持ローラ３に邪魔されないようにする。
【００８３】
この工程によって、ベルトコンベヤＢに巻回された状態で弛んだ無端のコンベヤベルトＣを洗浄槽１内に巻回することができる。また、コンベヤベルトＣの洗浄槽１内から取り外す場合には、前述の工程の逆の工程で取り外すことができる。
【００８４】
図９に示す状態のベルトコンベヤＢでは、コンベヤベルトＣが弛み、洗浄装置Ａに巻回可能な状態、或いは洗浄可能な状態のベルトコンベヤＢの搬送方向上流側の下方に、洗浄装置Ａが配置される洗浄動作位置Ｐが設定されている。
【００８５】
洗浄動作位置Ｐは、弛んだコンベヤベルトＣが洗浄槽１に挿入される際に、保持ローラ６に向かう部位が鉛直に沿うようになる位置であることが好ましく、このようにすることによって、小型の洗浄槽１を用いることができる。
【００８６】
洗浄動作位置Ｐは、洗浄装置Ａを洗浄動作位置に案内する案内部Ｅ、及び洗浄動作位置Ｐに配置される洗浄装置Ａの配置位置を保持する保持部Ｆとで設定されている。
【００８７】
案内部Ｅは、床面Ｇに立設された二枚の板状部Ｅ１の間に確保された溝部Ｅ２と、支持フレーム１Ａの下面に床面Ｇに向かって突設された案内部材Ｅ３とから構成されている。
【００８８】
この案内部材Ｅ３は、溝部Ｅ２における内壁(板状部Ｅ１の内側面)に接触して転がるように軸支されたガイドローラであるが、本発明では、案内部材Ｅ３の形態をガイドローラに限定するものではない。
【００８９】
溝部Ｅ２は、洗浄体２の軸に沿って確保されており、ベルトコンベヤＢの幅方向の１端側から洗浄装置Ａを洗浄動作位置Ｐに移動させるとき（図１０において白抜き矢印方向）、案内突起Ｅ３を溝部Ｅ２に嵌入させることによって、洗浄装置Ａを定位置に洗浄動作位置Ｐに導くことができる。
【００９０】
保持部Ｆは、支持フレーム１Ａに上下動自在に設けられた保持杆部Ｆ１と、溝部Ｅ２側に設けられた保持孔部Ｆ２とから構成され、保持杆部Ｆ１を下降させて保持孔部Ｆ２に嵌合することによって、洗浄装置Ａの移動を阻止して洗浄動作位置Ｐの位置を保持するようにされている。
【００９１】
洗浄装置Ａを洗浄動作位置Ｐから移動させるときには、保持杆部Ｆ１を上昇させて保持孔部Ｆ２から抜き取れば移動できる状態となる。
【００９２】
この保持孔部Ｆ２の位置は、洗浄装置Ａが洗浄動作位置Ｐに至ったときに、保持杆部Ｆ１が嵌合する位置である。
【００９３】
このコンベヤシステムＳによると、ベルトコンベヤＢの搬送状態では、洗浄装置Ａを洗浄動作位置ＰからベルトコンベヤＢの外側に移動させておくことによって、ベルトコンベヤＢの搬送動作を邪魔することがなく、コンベヤベルトＣを洗浄するときにのみ、洗浄装置Ａを洗浄動作位置Ｐに移動させることができる。
【００９４】
また、洗浄装置Ａは、コンベヤベルトＣを無端の状態で、しかもベルトコンベヤＢに巻回した状態で巻回することができると共に、取り外すことができるので、洗浄作業効率の向上が期待できる。
【００９５】
しかも、洗浄装置Ａは、自身が有する駆動力によって洗浄動作を行うものであるので、ベルトコンベヤＢの停止状態においてコンベヤベルトＣの洗浄を行うことができる。
【００９６】
更に、コンベヤベルトＣの最も汚れる外周面(搬送面)が洗浄体２に接触した状態で巻回されるので、最も洗浄を要する部位を確実に洗浄することができる。これにより、コンベヤベルトの洗浄時間、洗浄回数等を削減することができるので、洗浄作業効率の向上が期待できる。
【００９７】
また、洗浄装置Ａが、ベルトコンベヤＢに対して移動可能な別体のものであるので、洗浄装置Ａが設定されていないベルトコンベヤＢに移動して、このベルトコンベヤＢのコンベヤベルトＣの洗浄もすることができる。
【００９８】
これにより、洗浄装置Ａを単独で使用することができ、例えば、施設内に、洗浄装置Ａを１台乃至数台用意しておけば、洗浄が必要な各ベルトコンベヤＢに移動させることで、このベルトコンベヤＢのコンベヤベルトＣを洗浄することができ、これによって、少ない台数で複数のベルトコンベヤＢの洗浄に対応することができる。
【００９９】
また、洗浄装置Ａを単独で使用する場合、ベルトコンベヤＢからコンベヤベルトＣを取り外しても、無端のコンベヤベルトＣの状態で洗浄装置Ａに巻回することができると共に、洗浄することができる。
【０１００】
更に、洗浄装置ＡをベルトコンベヤＢの下方に設定された洗浄動作位置Ｐに対する出し入れ操作する方向、駆動回転体側フレームＢ３０と従動回転体側フレームＢ３１との接近状態・離間状態を保持する位置決めボルトＢ３６の配置方向、回転フレームＢ３４を保持する位置決めボルトＢ３８の配置方向を、同一方向(図２において、ベルトコンベヤＢの上方側)にしているため、オペレータＨのコンベヤベルトＣを緩める作業、張る作業、洗浄装置Ａを洗浄動作位置Ｐに対して出し入れする作業、洗浄装置Ａに巻回する作業、取り外す作業等の各種作業を同一方向から行うことができる。  
【０１０１】
したがって、以上説明したとおり、洗浄装置Ａ、及びこの洗浄装置Ａを備えたコンベヤシステムＳは、連結部がない無端のコンベヤベルトＣを容易に巻回することができると共に、取り外すことができる。
【０１０２】
しかも、洗浄装置Ａをベルトコンベヤに一体に取付けることなく、コンベヤベルトＣを洗浄槽１内に配置できると共に、コンベヤベルトＣの外周面Ｃ１を洗浄体２に接触させることができる。
【０１０３】
これにより、洗浄装置Ａのメンテナンスを効率よくできると共に、コンベヤベルトＣの最も汚れる外周面 (搬送面)Ｃ１の洗浄が確実にできる。
【０１０４】
コンベヤベルトＣの洗浄動作は、制御部１４Ａによって自動制御するようにしてもよいし、オペレータＨによる手動操作によって行うようにしてもよい。
【０１０５】
制御部１４Ａによる自動制御の場合、例えば、コンベヤベルトＣの洗浄周回数制御、回転速度制御、時間計測制御、洗浄液の自動給排水制御、洗浄水の加温制御等が挙げられる。
【０１０６】
コンベヤベルトＣの洗浄回転数制御では、例えば、設定されたベルトコンベヤＢの機長と、設定されたコンベヤベルトＣの回転速度とで、コンベヤベルトＣが１周する時間、或いは任意に設定された周回数の時間を割り出し、この時間を計測し、割り出された時間が検出されたときに、駆動部１３Ａの駆動を停止させる制御が挙げられる。
【０１０７】
洗浄液の自動排水制御では、コンベヤベルトＣの洗浄限界本数をあらかじめ設定し、洗浄限界本数が検出されたときに、ドレンバルブ１００を自動的に開いて洗浄後の洗浄水を排水する制御が挙げられる。
【０１０８】
また、前述の給水装置を備えた洗浄装置Ａである場合、洗浄水が完全に排水される時間を計測し、この時間が計測されたときにドレンバルブ１００を自動的に閉じると共に、給水装置を作動させ、あらかじめ設定した水量を計測し、この水量が検出されたときに、給水装置を停止させる制御が挙げられる
【０１０９】
また、洗浄水の加温制御では、洗浄水として最もよい温度を設定しておき、この温度が検出されたときに、洗浄装置Ａの洗浄動作を開始する制御が挙げられる。
【０１１０】
次に、本発明に係る第２実施形態の洗浄装置Ａ’を図１５〜図２１に基づいて説明する。この洗浄装置Ａ’は、ベルトコンベヤから無端状態で取り外したコンベヤベルトＣ単体を装着して洗浄するものである。尚、第１実施形態と重複する部位についての説明は、図面に同符号を付すことによって省略する。
【０１１１】
洗浄装置Ａ’は、コンベヤベルトＣを洗浄する洗浄エリアＧ１と、装着されるコンベヤベルトＣの張力やコンベヤベルトＣの周長に対応するように調整する調整エリアＧ２とを備えている。
【０１１２】
洗浄エリアＧ１と調整エリアＧ２とは、車輪を備えて移動自在とする架台Ｇ３上に、コンベヤベルトＣの巻回方向で隣り合うと共に、洗浄エリアＧ１と調整エリアＧ２とが隣り合う方向で連通するように配されている。
【０１１３】
洗浄エリアＧ１は、正面側にカーテンＨで開閉自在に開口された作業口Ｇ１０を有し、この作業口と、洗浄エリアＧ１と調整エリアＧ２とを連通する連通口Ｇ１１以外が閉鎖された１つの部屋にされており、この部屋の中に、洗浄槽１、保持ローラ５、６、噴射ノズル９、駆動部３４、コンベヤベルトＣを巻回するための回転体Ｂ１、Ｂ３等が配されている。
【０１１４】
調整エリアＧ２は、回転体Ｂ２、Ｂ２’と、回転体回転体Ｂ２、Ｂ２’を軸支した移動体Ｇ２０と、移動体Ｇ２０を回転体Ｂ１に接近・離間する方向に移動自在に支持する支持レールＧ２１と、移動体Ｇ２０に連結され、この移動体Ｇ２０を移動させる方向に回転するチェーン機構Ｇ２２と、チェーン機構Ｇ２２を回転させる操作部Ｇ２３とが配されている。
【０１１５】
回転体Ｂ１〜Ｂ３は、回転ローラであり、洗浄体２の軸と平行な軸を有して軸支されていると共に、コンベヤベルトＣの着脱作業を作業口Ｇ１０側の端部から行えるように支持されている。
【０１１６】
回転体Ｂ１、Ｂ３は、洗浄エリアＧ１に設けられた支持フレームＧ３０の上下に配置されていると共に、回転体Ｂ１、Ｂ３の両端部が軸支されている。
【０１１７】
回転体Ｂ２、Ｂ２’は、夫々、移動体Ｇ２０に回転体Ｂ２、Ｂ２’の両端部が軸支されており、回転体Ｂ２が上側、回転体Ｂ２’が下側とする上下関係で配置されている。
【０１１８】
移動体Ｇ２０は、調整エリアＧ２の全域及び洗浄エリアＧ１の中途までの範囲で設けられた支持レールＧ２１に移動自在に支持された移動部２０１と、この移動部２０１に吊り下げられるように設けられた軸支部２０２とを備えている。
【０１１９】
移動部２０１は、支持レールＧ２１の上方に配置されてこの支持レールＧ２１に嵌合すると共に、この支持レールＧ２１上を転がる車輪２０３を備えており、この車輪２０３の転がりによって、調整エリアＧ２と洗浄エリアＧ１とにわたって移動自在にされている。
【０１２０】
また、移動部２０１は、チェーン機構Ｇ２２に連結されており、このチェーン機構Ｇ２２のチェーン２０４の回転によって移動するようにされている。
【０１２１】
チェーン機構Ｇ２２は、洗浄エリアＧ１側に、回転体Ｂ１〜Ｂ３の軸と平行な軸で軸支されたスプロケット２０５と、調整エリアＧ２側に、回転体Ｂ１〜Ｂ３の軸と平行な軸で軸支されたスプロケット２０６と、両スプロケット２０５、２０６にわたって巻回されたチェーン２０４と、チェーン２０４の回転操作をする操作部Ｇ２３とを備えている。
【０１２２】
巻回されたチェーンの上側には、移動部２０１が連結されており、チェーン２０４の回転に伴って移動部２０１が移動するようにされている。
【０１２３】
操作部Ｇ２３は、巻回されたチェーン２０４の下側に配置され、チェーン２０４の内側を巻回する操作スプロケット２０７と、この操作スプロケット２０７の両側に配置され、チェーン２０４にテンションを与える２つのテンションスプロケット２０８を備えている。
【０１２４】
操作スプロケット２０７と一体回転する軸には、操作ハンドル２０９が軸支されており、この操作ハンドル２０９を時計方向・反時計方向に回転させることで、チェーン２０４が回転するようにされている。
【０１２５】
軸支部２０２は、回転体Ｂ２、Ｂ２’の両端部を挟むように２本吊り下げられており、この２本の軸支部２０２にわたるように、上下２本の補強杆２１０、２１１が設けられている。
【０１２６】
このような軸支部２０２の上下２本の補強杆２１０、２１１の間に、回転体Ｂ２が軸支され、下側の補強杆２１１の下方に回転体Ｂ２’が軸支されている。
【０１２７】
また、正面側(作業口Ｇ１０側)の軸支部２０２の２本の補強杆２１０、２１１の間が開放されており、この開放部２１２から回転体Ｂ２に対してコンベヤベルトＣを着脱するようにされている。
【０１２８】
また、２本の補強杆における洗浄エリア側の側面にわたって、補強杆２１０、２１１同士を繋ぐように開放部２１２を閉鎖する閉鎖板２１３が設けられており、この閉鎖板２１３によって、回転体Ｂ２に巻回されているコンベヤベルトＣの回転体Ｂ２に対する巻回状態を保持するようにされている。
【０１２９】
閉鎖板２１３は、補強杆２１１に対して上下方向に回転自在に軸支されていると共に、補強杆２１０に対してねじ止め等によって連結することで、開放部２１２を閉鎖し、ねじ止めを解除することで、閉鎖板２１３が上下方向に回転自在となると共に、下方に回転させることで、開放部２１２の開放するようにされている。
【０１３０】
このように支持された回転体Ｂ１〜Ｂ３は、コンベヤベルトＣの着脱を正面側(作業口側)の端部から行うことができると共に、開放部２１２を閉鎖板２１３で閉鎖することによって、コンベヤベルトＣの保持を行うことができる。
【０１３１】
また、操作部Ｇ２３の操作によって移動部Ｇ２０を移動させることによって、回転体Ｂ１と回転体Ｂ２、Ｂ２’との距離を変更することができ、この回転体Ｂ１と回転体Ｂ２、Ｂ２’との距離を変更することによって、コンベヤベルトＣの張力の調整ができると共に、コンベヤベルトＣの様々な周長に対応することができ、コンベヤベルトＣの着脱時においては、コンベヤベルトＣが緩んだ状態になるように、回転体Ｂ１と回転体Ｂ２、Ｂ２’とが近づく方向に移動部Ｇ２０を移動させることによって、コンベヤベルトＣの回転体Ｂ１〜Ｂ３への着脱を容易に行うことができる。
【０１３２】
保持ローラ５、６は、シリンダＩの伸縮に伴って上下動する支持枠１Ｂに、保持ローラ５、６の両端部が軸支されている。
【０１３３】
支持枠１Ｂは、洗浄体２の軸方向で対面して保持ローラ５、６を軸支するようにされており、支持枠１Ｂ同士の上端を連結体１０Ｂで連結され、更にシリンダＩが接続される接続体１１Ｂが備えられており、支持フレームＧ３０の背面側に長手方向を上下方向として設けられた案内孔１２Ｂに上下動自在に嵌合されている。
【０１３４】
支持枠１Ｂは、巻回されるコンベヤベルトＣの内側に配置されていると共に、支持枠１Ｂの下降によって、保持ローラ５、６がコンベヤベルトＣの内周面Ｃ２に接触すると共に、コンベヤベルトＣの外周面Ｃ１を洗浄体２に押し付けて保持するようにされている。
【０１３５】
支持枠１Ｂは、洗浄体２をまたぐ下向き凹状に形成されており、洗浄体２をまたいでこの洗浄体２の径方向両側に位置する下端に、洗浄体２の軸と平行な軸として保持ローラ５、６が軸支されており、これによって、保持ローラ５、６をコンベヤベルトＣの内周面Ｃ２に接触させると共に、コンベヤベルトＣの外周面Ｃ１を洗浄体２に押し付けて保持することができるようにされている。
【０１３６】
背面側の支持枠１Ｂから保持ローラ５、６の軸に沿って背面側に突出する連結体１０Ｂの端部には、接続体１１Ｂが設けられ、この接続体１１Ｂに、案内孔１２Ｂに嵌合される案内突起１０１が背面側に突出するように設けられており、この案内突起１０１の案内孔１２Ｂに沿う上下スライドによって支持枠１Ｂの上下動を案内できるようにされている。
【０１３７】
案内孔１２Ｂは、支持フレームＧ３０の背面側における背面板３０１に、コンベヤベルトＣの巻回方向で隣り合うように２つ並列状に開孔され、案内突起１０１は、コンベヤベルトＣの巻回方向に沿って、案内孔１２Ｂと同幅で隣り合うように、２つ並列されており、案内突起１０１の案内孔１２Ｂに沿う上下スライド時のガタツキを防止できるようにされている。
【０１３８】
シリンダＩは、背面板３０１の背面側に配されていると共に、案内孔１２Ｂから背面側に貫通する案内突起１０１にシリンダＩの先端が接続されている。
【０１３９】
噴射ノズル９は、支持フレームＧ３０に、回転体Ｂ１、Ｂ３の間に配置されると共に、巻回されたコンベヤベルトＣの厚み方向の両側で２個支持されており、コンベヤベルトＣの外周面Ｃ１と内周面Ｃ２とに、エアを噴射できるようにされている。
【０１４０】
噴射ノズル９は、コンベヤベルトＣの洗浄後に、付着した洗浄液を吹き飛ばすものであり、図２１に示すように、コンベヤベルトＣを、回転体Ｂ１〜Ｂ３、保持ローラ５、６、駆動部３４に対して巻回して、駆動部３４を作動させた状態でエアを吹きかけることで、コンベヤベルトＣの外周面Ｃ１及び内周面Ｃ２の全域に付着した洗浄液を吹き飛ばすことができる。
【０１４１】
駆動部３４は、図１８に示すように、保持ローラ５、６と平行な軸を有する２個の回転ローラ４０１、４０２及びこの回転ローラ４０１、４０２に巻回された環状ベルト４０３を備えた支持回転部３と、保持ローラ５、６と平行な軸を有する４個の回転ローラ５０１〜５０４及びこの回転ローラ５０１〜５０４に巻回された環状ベルト５０５を備えた駆動回転部４を備えており、このような支持回転部３と駆動回転部４とが支持フレームＧ４０に支持されている。
【０１４２】
支持回転部３と駆動回転部４は、互いの環状ベルト４０３、５０５の外周面が対面し、巻回されるコンベヤベルトＣを厚み方向で挟持し、この挟持力、又は挟持力による摩擦力で駆動回転部４の駆動回転をコンベヤベルトＣに伝達してこのコンベヤベルトＣを回転させるようにされている。
【０１４３】
支持回転部３は、支持フレームＧ４０に設けられた支持板Ｇ５０に、回転ローラ４０１、４０２が駆動回転部４に対して接近・離間する方向に回転自在に支持されており、この回転は、支持回転部３に一体に設けられたハンドル４０４の回転操作によって行うようにされている。
【０１４４】
また、ハンドル４０４は、このハンドル４０４と２つの回転ローラ４０１、４０２を軸支するフレーム４０５にわたるように、回転ローラ４０１、４０２の軸と平行な方向に沿って設けられた連結軸４０４’によって、支持板Ｇ５０の上端の外側で連結されている。
【０１４５】
フレーム４０５には、嵌合突起４０７、４０７’が設けられており、この嵌合突起４０７、４０７’は、支持板Ｇ５０に、支持回転部３が駆動回転部４に対して接近・離間する方向に沿うと共に、同心円の円弧として開孔された案内長孔４０６、４０６’に嵌合しており、嵌合突起４０７、４０７’が案内長孔４０６、４０６’の円弧に沿って移動することで、ハンドル４０４の回転に伴う支持回転部３の回転を案内すると共に、回転ローラ４０１、４０２を駆動回転部４に対して接近・離間させることができるようにされている。
【０１４６】
このような支持回転部３は、ハンドル４０４の回転操作によって、回転ローラ４０１、４０２を駆動回転部４に対して接近・離間させることができると共に、支持回転部３の環状ベルト４０３を駆動回転部４の環状ベルト５０５に対して接近・離間させることができる。
【０１４７】
コンベヤベルトＣに対する挟持力を保持すると共に、挟持力を解除する構造は、駆動回転部４に対する支持回転部３の接近状態及び離間状態を保持し、互いの環状ベルト４０３、５０５がコンベヤベルトＣを挟持した状態及び互いの環状ベルト４０３、５０５が離間した状態を保持する構造である。    
【０１４８】
駆動回転部４は、支持回転部３の環状ベルト４０３と対面する駆動回転部４の環状ベルト５０５が、下方側から上方側に向けて調整エリアＧ２側に傾斜するように設けられており、支持回転部３が駆動回転部４に接近状態のときに、支持回転部３の環状ベルト４０３が駆動回転部４の環状ベルト５０５の傾斜に対して正対するように、フレーム４０５及びハンドル４０４が傾斜し、この傾斜によって駆動回転部４方向に作用する支持回転部３の重量を利用することで、駆動回転部４に対する支持回転部３の接近状態を保持すると共に、環状ベルト４０３、５０５によるコンベヤベルトＣに対する挟持力を保持することができる。
【０１４９】
また、駆動回転部４に対する支持回転部３の離間状態の保持は、支持板Ｇ５０に設けられた回転掛止板４０８によって行われる。
【０１５０】
回転掛止板４０８は、回転ローラ４０１、４０２と平行な軸を中心として回転自在に軸支されており、回転によって案内長孔４０６の開孔方向に沿って重なるように、その開孔中途部分を塞ぐと共に、案内長孔４０６を開放するようにされている。
【０１５１】
また、回転掛止板４０８は、案内長孔４０６を塞いでいる状態において、駆動回転部４側への回転が阻止されていると共に、反対方向への回転のみができるようにされており、この回転掛止板４０８を境として、嵌合突起４０７が洗浄エリアＧ１側に位置しているときには、嵌合突起４０７の駆動回転部４方向への移動が阻止されている。
【０１５２】
更に、回転阻止板４０８は、回転阻止板４０８の駆動回転部４側と反対方向への回転に対して、駆動回転部４側へ回転する方向に、バネ等(図示せず)によって付勢されており、常に、案内長孔４０６を塞ぐことができるようにされている。
【０１５３】
すなわち、嵌合突起４０７が洗浄エリアＧ１側に位置しているときには、支持回転部３が駆動回転部４に対して離間状態であって、この離間状態を、嵌合突起４０７の駆動回転部４方向への回転を回転掛止板４０８が阻止することによって保持することができる。
【０１５４】
したがって、コンベヤベルトＣを駆動部３４に装着する作業中に、支持回転部３が駆動回転部４に接近する方向への回転を阻止しているので、支持回転部３を作業者が自らの手で抑える必要がなく、しかも、装着作業中に支持回転部３の駆動回転部方向への回転を防止でき、これによって、駆動部３４に対するコンベヤベルトＣの装着作業を容易、且つ迅速に行うことができる。
【０１５５】
また、支持回転部３が駆動回転部４に対して接近させるときには、回転阻止板４０８を、付勢力に抗して駆動回転部４側と反対方向への回転させて、案内長孔を開放することで、嵌合突起４０７が案内長孔４０６に沿ってスライド自在状態となり、これによって、ハンドル４０４を駆動回転部４方向に回転させることができると共に、支持回転部３を駆動回転部４に対して接近させることができる。
【０１５６】
また、支持回転部３を駆動回転部４から離間させるときには、ハンドル４０４を駆動回転部４から離間する方向へ回転させることで、案内長孔４０６に沿ってスライドする嵌合突起４０７が、回転掛止板４０８に接触して、この回転掛止板４０８を付勢力に抗して駆動回転部４側と反対方向へ回転させることができる。
【０１５７】
そして、回転掛止板４０８の回転によって、案内長孔４０６が開放され、嵌合突起４０７が回転掛止板４０８を通過した時点で、この回転掛止板４０８が付勢力によって案内長孔を塞ぐ状態まで回転し、これによって、嵌合突起４０７を、回転掛止板４０８を境に洗浄エリアＧ１側に位置させることができる。
【０１５８】
これによって、支持回転部３を駆動回転部４から離間させることができると共に、支持回転部３が駆動回転部４から離間した状態を保持することができる。
【０１５９】
駆動回転部４は、支持回転部３と対面するように配置された上下２つの回転ローラ５０１、５０２を備えた固定回転部Ｇ６０と、回転ローラ５０１、５０２と調整エリアＧ２との間に、回転ローラ５０１、５０２と対面するように配置された上下２つの回転ローラ５０３、５０４を備えた可動回転部Ｇ７０とを有し、これらすべての回転ローラ５０１〜５０４にわたるように環状ベルト５０５が巻回されている。
【０１６０】
固定回転部Ｇ６０は、２つの回転ローラ５０１、５０２を軸支するフレーム５０６が支持板Ｇ８０支持されている。
【０１６１】
回転ローラ５０２は駆動ローラであり、これ以外の回転ローラ５０１、５０３、５０４は従動ローラであって、駆動側の回転ローラ５０２が駆動回転することによって、巻回された環状ベルト５０５が回転し、この環状ベルト５０５の回転によって、回転ローラ５０１、５０３、５０４を回転させると共に、この環状ベルト５０５とで挟持したコンベヤベルトＣを回転させ、このコンベヤベルトＣを介して、環状ベルト４０３及び回転ローラ４０１、４０２を回転させることができるようにされている。
【０１６２】
可動回転部Ｇ７０は、２つの回転ローラ５０３、５０４を軸支するフレーム５０７が、支持板Ｇ８０に対して、回転自在に軸支されており、回転ローラ５０３が洗浄槽１に出し入れされる方向に回転自在に軸支されている。
【０１６３】
具体的には、フレーム５０７には、嵌合突起５０８が設けられており、この嵌合突起５０８は、支持板Ｇ８０に、円弧として開孔された案内長孔５０９に嵌合しており、嵌合突起５０８が案内長孔５０９の円弧に沿って移動することで、可動回転部Ｇ７０の回転を案内するようにようにされている。
【０１６４】
案内長孔５０９は、可動回転部Ｇ７０を、回転ローラ５０３が洗浄槽１に対して出し入れされる方向に案内することができる円弧として形成されている。
【０１６５】
可動回転部Ｇ７０のコンベヤベルトＣの洗浄時には、可動回転部Ｇ７０の回転をロックすることで保持されており、この可動回転部Ｇ７０の回転のロックを解除することによって、可動回転部Ｇ７０の回転ができるようにされている。
【０１６６】
具体的には、フレーム５０７と支持板Ｇ８０とにわたって設けられ、支持板Ｇ８０に対するフレーム５０７の掛止及び掛止解除する留め具Ｇ９０によって、可動回転部Ｇ７０の回転のロック及びロック解除するようにされている。
【０１６７】
留め金Ｇ９０は、フレーム５０７と支持板Ｇ８０との掛止・掛止解除する機能を有するものであればよく、例えば、パチン錠(パッチン錠)を使用することができる。
【０１６８】
また、支持板Ｇ８０には、回転ローラ５０３が洗浄槽１の開口部１０’の上方に位置する状態を保持・保持解除する保持杆５１０が設けられている。
【０１６９】
この保持杆５１０は、回転ローラ５０３の軸と洗浄エリアＧ１と調整エリアＧ２とにわたる方向で直交する軸を中心として、上下方向に回転自在に軸支されており、上方回転によって、保持杆５１０が嵌合突起５０８に嵌合して、嵌合突起５０８の位置を固定し、これにより、可動回転部Ｇ７０の回転ローラ５０３が洗浄槽１の開口部１０’の上方に位置する状態における可動回転部Ｇ７０の位置を保持することができ、下方回転によって、嵌合突起５０８に対する保持杆５１０の嵌合が解除され、これによって、可動回転部Ｇ７０を回転させることができる。
【０１７０】
すなわち、可動回転部Ｇ７０は、コンベヤベルトＣの洗浄状態において回転ローラ５０３が洗浄槽１に挿入されると共に、洗浄液に浸かる位置に保持され、コンベヤベルトＣの着脱状態において、回転ローラ５０３が、洗浄槽１の開口部１０’よりも上方に保持され、これによって、洗浄槽１が回転ローラ５０３に干渉されることなく、洗浄槽１を移動させることができる。
【０１７１】
したがって、回転ローラ５０３が洗浄槽に１に挿入されることによって、コンベヤベルトＣの外周面Ｃ１に付着した汚れが環状ベルト５０５に付着したときに、この環状ベルト５０５に付着した汚れを洗浄液によって洗い流すことができる。
【０１７２】
洗浄槽１は、洗浄体２を回転させる動力部Ｋと一体で、案内部Ｅを介して移動自在にされており、移動した位置(洗浄動作位置Ｐ及び洗浄動作位置Ｐから離間したコンベヤベルト着脱位置Ｐ１)において、洗浄槽１を保持する保持部Ｆとを備えている。
【０１７３】
回転体Ｂ１の上方には、コンベヤベルトＣの巻回作業に用いられるさお部Ｊが、回転体Ｂ１の軸方向に沿って作業口Ｇ１０から出没自在に支持されている。
【０１７４】
さお部Ｊは、図１６に示すように、コンベヤベルトＣを回転体Ｂ１に巻回する際に、作業口Ｇ１０から突出する方向へスライドさせてコンベヤベルトＣを引掛け、引掛けた状態で回転体Ｂ１、Ｂ３がコンベヤベルトＣの内周側に位置するように、さお部Ｊを洗浄エリアＧ１内に戻し、このさお部Ｊのみを更に背面側にスライドさせて、コンベヤベルトＣから抜き取ることによって、コンベヤベルトＣをさお部Ｊの下方に配置された回転体Ｂ１に引掛けることができるようにされている。
【０１７５】
次に、この洗浄装置Ａ’によるコンベヤベルトＣの洗浄作業及び着脱作業工程を図１５及び図１９〜図２１に基づいて説明する。
【０１７６】
コンベヤベルトＣの装着時における第１工程では、図１９に示すように、保持ローラ５、６が洗浄槽１の開口部１０’よりも上方となる位置まで支持枠１Ｂが上昇していると共に、駆動部３４の回転ローラ５０３が洗浄槽１の開口部１０’よりも上方となる位置となるように、可動回転部Ｇ７０が回転によって上昇しており、且つ洗浄槽１がコンベヤベルト着脱位置Ｐ１に移動し、更に回転体Ｂ２、Ｂ２’が回転体Ｂ１に近接するように、洗浄エリアＧ１内に配置されている。
【０１７７】
この第１工程においては、駆動部３４における支持回転部３と駆動回転部４とは離間しており、コンベヤベルトＣを支持回転部３と駆動回転部４との間に配置することができるようにされている。
【０１７８】
また、この第１工程において、さお部Ｊを作業口から突出する方向へスライドさせてコンベヤベルトＣを引掛けることができるようにする。
【０１７９】
第２工程は、図２０に示すように、さお部Ｊにコンベヤベルトを引掛けた状態で回転体Ｂ１、Ｂ３がコンベヤベルトＣの内周側に位置するように、さお部Ｊを洗浄エリアＧ１内に戻し、コンベヤベルトＣの内周面Ｃ２を保持ローラ５、６の下方に巻回すると共に、駆動部３４における支持回転部３と駆動回転部４の間に挿入し、且つ回転体Ｂ２、Ｂ２’に巻回する。
【０１８０】
回転体Ｂ２、Ｂ２’への巻回時には、閉鎖板２１３を下方に向けて開放部を開放しておき、この開放部から回転体Ｂ２、Ｂ２’の軸に沿ってコンベヤベルトを入れながら、このコンベヤベルトを回転体Ｂ２、Ｂ２’に巻回する。
【０１８１】
回転体Ｂ２、Ｂ２’へのコンベヤベルトＣの巻回後には、閉鎖板２１３を上方に回転させると共に、開放部２１２を閉鎖した位置でねじ止め固定して開放部２１２の閉鎖状態を保持し、この閉鎖状態において、操作部Ｇ２３の操作で移動体Ｇ２０を調整エリアＧ２に移動させ、この移動に伴って回転体Ｂ２、Ｂ２’を回転体Ｂ１から離間させることで、コンベヤベルトＣが巻回される(図２１参照)。
【０１８２】
第３工程は、図１５に示すように、洗浄槽１を洗浄動作位置Ｐに移動させ、この洗浄動作位置Ｐにおいて、支持枠１Ｂを下降させ、この下降に伴う保持ローラ５、６の下降によって、保持ローラ５、６がコンベヤベルトＣを洗浄体２に押し付けると共に、洗浄体２に対するコンベヤベルトＣの接触状態を保持する。
【０１８３】
また、図１５に示すように、駆動部３４の回転ローラ５０３が洗浄槽１に挿入されるように、可動回転部Ｇ７０を回転によって下降させると共に、駆動部３４の支持回転部３を駆動回転部４に向かって回転させ、この回転によって、駆動回転部４の環状ベルト５０５に対して支持回転部３の環状ベルト４０３を接近させると共に、環状ベルト４０３、５０５同士でコンベヤベルトＣを挟持する。
【０１８４】
この第１工程〜第３工程によって、コンベヤベルトが巻回され、この状態で駆動部３４を駆動回転させると共に、洗浄体２を回転させることによって、コンベヤベルトＣを巻回方向に沿って回転させながら洗浄することができる。
【０１８５】
コンベヤベルトＣの洗浄後に、コンベヤベルトＣに付着した洗浄液を噴射ノズル９からのエアで吹き飛ばす作業を行う。この作業は、駆動部３４を駆動回転させ、この駆動回転によってコンベヤベルトＣを巻回方向に回転させると共に、噴射ノズル９からエアを噴射して、コンベヤベルトＣに付着した洗浄液を吹き飛ばす。エアの噴射の勢いによって洗浄が洗浄エリアＧ１外に飛ばされないように、カーテンＨを閉めて洗浄エリアＧ１の作業口Ｇ１０を閉鎖しておくとよい。
【０１８６】
前述の第１工程〜第３工程によって、コンベヤベルトＣを装着し、装着後にコンベヤベルトＣの洗浄を行い、この洗浄終了後に第４工程及び第５工程によって、コンベヤベルトＣを取り外す作業を行う。
【０１８７】
第４工程では、保持ローラ５、６が洗浄槽１の開口部１０’よりも上方となる位置まで支持枠１Ｂを上昇させると共に、駆動部３４の回転ローラ５０３が洗浄槽１の開口部１０’よりも上方となる位置にし(図２１と同様)、且つ洗浄槽１をベルト着脱位置Ｐ１に移動させる。
【０１８８】
第５工程では、操作部Ｇ２３の操作で移動体Ｇ２０を洗浄エリアＧ１に移動させ、この移動に伴って回転体Ｂ２、Ｂ２’を回転体Ｂ１に接近させることでコンベヤベルトＣを緩め、更に駆動部３４の支持回転部３を駆動回転部４から離間する方向に回転させて、コンベヤベルトの挟持を解除すると共に、閉鎖板２１３を下方に回転させて開放部２１２を開放する(図２０と同様)。
【０１８９】
この第５工程によって、洗浄エリアＧ１の作業口から回転体Ｂ１〜Ｂ３の軸に沿ってコンベヤベルトＣを取り外すことができる状態にすることができると共に、コンベヤベルトＣを装着する第１工程と同様の状態にすることができる。
【０１９０】
したがって、洗浄装置Ａ’によると、コンベヤベルト単体を洗浄することができると共に、環状の状態で着脱することができ、且つコンベヤベルトＣに付着した洗浄液を吹き飛ばすことができる。
【０１９１】
また、回転体Ｂ２、Ｂ２’の位置をコンベヤベルトＣの巻回方向に沿って可変としているので、巻回されるコンベヤベルトＣの張力調整やコンベヤベルトＣの様々な周長に対応することができる。
【０１９２】
更に、保持ローラ５、６を軸支した支持枠１Ｂが、シリンダＩによる伸縮で上下動するようにされているため、保持ローラ５、６によるコンベヤベルトＣの洗浄体２に対する接触状態の保持・保持解除、位置調整、洗浄槽１に対する出し入れを自動化できる。
【０１９３】
したがって、連結部がない無端のコンベヤベルトＣを容易に着脱できると共に、コンベヤベルトＣの最も汚れる搬送面(外周面Ｃ１)の洗浄が確実にできる。
【０１９４】
尚、本発明は、例示した実施形態に限定するものではなく、例えば、第２実施形態の洗浄装置Ａ’において、自動的に上下動する支持枠１Ｂに換えて、第１実施形態の洗浄装置Ａのように、保持ローラ５、６を手動で洗浄槽１に対して出し入れする構成を採用することができる(図示せず)。
【０１９５】
また、第２実施形態の洗浄装置Ａ’においては、コンベヤシステムＳに備えられるベルトコンベヤＢを従動回転体Ｂ２が洗浄槽１の上方に位置するように洗浄エリアＧ１に配置して、ベルトコンベヤＢにコンベヤベルトＣを巻回した状態でコンベヤベルトＣを緩めて、このコンベヤベルトＣを洗浄槽１に挿入すると共に、支持枠１Ｂを下降させ、この下降に伴う保持ローラ５、６の下降によって、保持ローラ５、６がコンベヤベルトＣを洗浄体２に押し付けると共に、洗浄体２に対するコンベヤベルトＣの接触状態を保持することもできる(図示せず)。
【０１９６】
また、回転体Ｂ１〜Ｂ３の配置位置は、巻回されるコンベヤベルトＣを洗浄槽１内に挿入できると共に、洗浄体２に接触させることができる位置であれば、例示した位置に限るものではない(図示せず)。
【０１９７】
また、駆動回転部４に対する支持回転部３の接近状態を保持する構造については、例示したように、傾斜及び支持回転部３の重量を利用する構造に限らず、環状ベルト４０３、５０５にマグネットを設け、このマグネット同士の吸着力を利用して、駆動回転部４に対する支持回転部３の接近状態を保持する構造としてもよい(図示せず)。
【０１９８】
この環状ベルト４０３、５０５にマグネットを設けた構造は、この構造単独で、駆動回転部４に対する支持回転部３の接近状態を保持することができ、しかも、傾斜及び支持回転部３の重量を利用する構造に加えることで、双方の保持力によって、駆動回転部４に対する支持回転部３の接近状態の保持をより確実に行うことができると共に、より確実にコンベヤベルトＣを回転させることができる。
【０１９９】
また、環状ベルト４０３、５０５にマグネットを設けた構造においては、摩擦力に頼らず、マグネットの吸着力でコンベヤベルトＣを挟持するため、コンベヤベルトＣが緩い状態(張力が弱い状態)で巻回されている場合でも、コンベヤベルトＣに対してスリップすることなく、コンベヤベルトＣを確実に送り出して回転させることができる。  
【符号の説明】
【０２００】
Ａ：洗浄装置
Ａ’： 洗浄装置
Ｂ：ベルトコンベヤ
Ｓ：コンベヤシステム
Ｃ：コンベヤベルト
Ｃ１：外周面
Ｃ２：内周面
１：洗浄槽
２：洗浄体
３：支持回転部
４：駆動回転部
５：保持ローラ
６：保持ローラ
７：支持部
８：支持部
１０Ａ：車輪
１Ａ：支持フレーム
１Ｂ：支持枠
１１Ａ：昇降部
３０：ローラ  
３１：引っ張りばね(付勢部) 
３４：駆動部
Ｂ１：駆動回転体
Ｂ２：従動回転体
Ｂ３：コンベヤフレーム
Ｄ：接離動作部
Ｐ：洗浄動作位置
Ｅ：案内部
Ｆ：保持部
【図１】
2016013919.tif 000003
【図２】
2016013919.tif 000004
【図３】
2016013919.tif 000005
【図４】
2016013919.tif 000006
【図５】
2016013919.tif 000007
【図６】
2016013919.tif 000008
【図７】
2016013919.tif 000009
【図８】
2016013919.tif 000010
【図９】
2016013919.tif 000011
【図１０】
2016013919.tif 000012
【図１１】
2016013919.tif 000013
【図１２】
2016013919.tif 000014
【図１３】
2016013919.tif 000015
【図１４】
2016013919.tif 000016
【図１５】
2016013919.tif 000017
【図１６】
2016013919.tif 000018
【図１７】
2016013919.tif 000019
【図１８】
2016013919.tif 000020
【図１９】
2016013919.tif 000021
【図２０】
2016013919.tif 000022
【図２１】
2016013919.tif 000023